(57)【要約】【課題】被収納物の出し入れが容易で効率良く多数、多種類の被収納物をコンパクトに整理して収納し得る使い勝手の良い回転テーブル付き収納庫を提供する。【解決手段】上記課題を解決するために本考案の回転テーブル付き収納庫１は、内部に着脱式の棚板２９を複数枚備えており、上記各棚板２９には被収納物Ａの載置台として機能する回転テーブル４３がベアリング４１を介して自由回転可能な状態で個別に設けられている。また回転テーブル４３の周縁４７の一部は棚板２９の前端面３１より前方に突出した状態で設けられている。【選択図】        図１
0003117050.tif 000002
【実用新案登録請求の範囲】
【請求項１】
内部に棚板を備える収納庫において、前記棚板には被収納物の載置台として機能する回転テーブルが回転可能な状態で設けられていることを特徴とする回転テーブル付き収納庫。
【請求項２】
請求項１に記載した回転テーブル付き収納庫において、前記回転テーブルの周縁の一部は前記棚板の前端面より前方に突出した状態で設けられていることを特徴とする回転テーブル付き収納庫。
【請求項３】
請求項１または２に記載した回転テーブル付き収納庫において、前記回転テーブルの載置面の周囲には載置した被収納物の回転テーブルからの落下ないし転倒を防止する倒れ防止枠が設けられていることを特徴とする回転テーブル付き収納庫。
【請求項４】
請求項１〜３のいずれか１項に記載した回転テーブル付き収納庫において、前記回転テーブルの載置面には当該載置面を分割して複数の載置スペースに区画する仕切り枠が設けられていることを特徴とする回転テーブル付き収納庫。
【考案の詳細な説明】
【技術分野】
【０００１】
本考案は、例えばキッチン用の収納庫として使用できる収納庫内に着脱式の棚板を複数枚備える回転テーブル付き収納庫に関するものである。
【背景技術】
【０００２】
キッチンには調理に使用する調味料を入れた容器や食器、しゃもじ、おたま等の配膳用の器具、あるいは泡立て器や包丁等の調理用の器具やキッチンタオル、ラップフィルム、布巾等の各種の備品が備えられる。
そしてこれらの容器、器具、備品は被収納物として各種のキッチン用の収納庫に納められ、最近では比較的狭いキッチンでも効率良く多数、多種類の被収納物を収納できるようなコンパクトないしスリムな形状の収納庫も登場してきている。
【０００３】
しかしながら、キッチンで使用する上記各種の被収納物は頻繁に出し入れするものが多く、これら出し入れの機会の多い被収納物を収納庫の奥に収納した場合には当該被収納物の取り出し及び収納が困難になり使い勝手が悪くなる。
また収納庫の奥に収納した被収納物を取り出すために、その手前に収納されている他の被収納物までも取り出さなければならないとすればその作業は煩わしくなり、使い勝手は更に悪化する。
【考案の開示】
【考案が解決しようとする課題】
【０００４】
本考案は、上記背景技術が抱えていた問題点の存在を踏まえてなされたものであって、被収納物の出し入れが容易で効率良く多数、多種類の被収納物をコンパクトに整理して収納し得る使い勝手の良い回転テーブル付き収納庫を提供することを課題とするものである。
【課題を解決するための手段】
【０００５】
上記課題を解決するために請求項１に記載した考案は、内部に棚板を備える収納庫において、前記棚板には被収納物の載置台として機能する回転テーブルが回転可能な状態で設けられていることを特徴とする回転テーブル付き収納庫である。
【０００６】
請求項２に記載した考案は、請求項１に記載した回転テーブル付き収納庫において、前記回転テーブルの周縁の一部は前記棚板の前端面より前方に突出した状態で設けられていることを特徴とする回転テーブル付き収納庫である。
【０００７】
請求項３に記載した考案は、請求項１または２に記載した回転テーブル付き収納庫において、前記回転テーブルの載置面の周囲には載置した被収納物の回転テーブルからの落下ないし転倒を防止する倒れ防止枠が設けられていることを特徴とする回転テーブル付き収納庫である。
【０００８】
請求項４に記載した考案は、請求項１〜３のいずれか１項に記載した回転テーブル付き収納庫において、前記回転テーブルの載置面には当該載置面を分割して複数の載置スペースに区画する仕切り枠が設けられていることを特徴とする回転テーブル付き収納庫である。
【考案の効果】
【０００９】
本考案の回転テーブル付き収納庫によれば、回転テーブルを設けたことにより収納庫の奥に収納した被収納物であっても容易に取り出すことができ、再び収納庫の奥に収納することができる。
【００１０】
回転テーブルの周縁の一部を棚板の前端面より前方に突出させた状態で設けた場合には前方に突出している回転テーブルの周縁の一部に手を触れるだけで簡単に回転テーブルを回転させることができる。
回転テーブルの載置面上に倒れ防止枠を設けた場合には回転テーブルを回転させる時に生ずる遠心力等によって生ずる回転テーブルからの被収納物の落下や被収納物の転倒を防止することができる。
回転テーブルの載置面上に仕切り枠を設けた場合には載置面上に載置される被収納物を種類毎等に分けて整理して分類することができる。
【考案を実施するための最良の形態】
【００１１】
本願考案に係る回転テーブル付き収納庫を実施するための最良の形態を図示の実施の形態を例に採って具体的に説明する。
図示の実施の形態ではキッチン等で使用される内部に着脱式の棚板を複数枚備えたキッチン用の収納庫を例に採って説明する。また図示の回転テーブル付き収納庫１は一例として幅Ｗが４７９ｍｍ、奥行きＤが４７０ｍｍ、高さＨが１９５０ｍｍのスリムな角箱形状の収納庫となっている。
【００１２】
回転テーブル付き収納庫１は前面が開放された２つの角箱状の上部収納庫３と下部収納庫５を上下に積み重ね、ボルト６とオニメナット８を使用して接続することによって構成されている。
上部収納庫３と下部収納庫５はそれぞれ天板７と、地板９と、左右の側板１１、１３と背板１５とを備えており、開放された前面には開閉扉１７、１９が開閉自在に設けられている。
下部収納庫５の地板９の下面には台輪２１が設けられている。
【００１３】
上部収納庫３の左右の側板１１、１３の内壁面には手前側と奥部側に適宜のピッチでダボ穴２３が高さ方向に連続するように多数設けられている。
側板１１、１３の一方の内壁面の手前側にはマグネットキャッチ２５が設けられており、側板１１、１３の他方の内壁面の手前側には開閉扉１７と側板１１、１３とを接続するスライド丁番２７の一片が取り付けられている。
【００１４】
手前側のダボ穴２３には棚板２９の前端面３１を保持するフック状の係止爪３３を備えた揺動自在の棚保持具３５が着脱自在に挿嵌され、奥部側の他方のダボ穴２３には上記係止爪３３を有しない揺動自在の平坦な棚受け具３７が同じく着脱自在に挿嵌されるようになっている。
棚板２９は略矩形平板状をした部材でその中心やや前方寄りの位置にはフランジ状のガイド部を有するガイド付きオニメナット３９が埋め込まれている。そしてこのような棚板２９を上部収納庫３に取り付ける場合には棚板２９を手前から奥部側に向けて差し込むだけでよく、棚板２９を終端まで差し込むことによって自動的に棚保持具３５が回動して図４に示す保持状態となる。
【００１５】
ガイド付きオニメナット３９のフランジ状のガイド部に対して外嵌されるようにしてベアリング４１が設けられており、該ベアリング４１を挟むようにしてその上方に回転テーブル４３が自由回転可能な状態で設けられている。
回転テーブル４３は円板状をした部材でその上面は被収納物Ａを載置するための載置面４５となっている。
また回転テーブル４３の周縁４７の一部は棚板２９の前端面３１より前方に一例として４０ｍｍ程度突出した状態で設けられている。
【００１６】
回転テーブル４３の載置面４５の周囲には載置した被収納物Ａの回転テーブル４３からの落下ないし転倒を防止する倒れ防止枠４９が設けられている。
倒れ防止枠４９は線径が４．５ｍｍ程度の丸棒を側面視門型に折り曲げ、更にその水平部を平面視円弧状に湾曲させたような形状を有している。
倒れ防止枠４９は４本設けられており、４本の倒れ防止枠４９の水平部の長さは回転テーブル４３の外周の長さの４分の１程度に設定されていて、これら４本の倒れ防止枠４９は図示のように回転テーブル４３の周囲に沿うように円周上に配設されている。載置面４５から上方に突出している倒れ防止枠４９の高さは一例として２０ｍｍ程度に設定されている。
【００１７】
また回転テーブル４３の載置面４５には当該載置面４５を分割して一例として４つの載置スペース５１に区画する仕切り枠５３が設けられている。
仕切り枠５３は倒れ防止枠４９と同様、線径が４．５ｍｍ程度の丸棒を側面視門型に折り曲げた形状を有している。
仕切り枠５３は２本設けられており、２本の仕切り枠５３の水平部の長さは回転テーブル４３の直径の長さ程度に設定されている。
載置面４５から上方に突出している仕切り枠５３の高さは一方が２０ｍｍ程度、他方が３０ｍｍ程度に設定されており、これら２本の仕切り枠５３は図示のように立体的に９０°交鎖させた状態で配設されている。
【００１８】
この他、回転テーブル４３の中心には回転軸となるボルト５５を受け入れる段差穴状の受入れ穴５７が設けられており、回転テーブル４３を棚板２９上にベアリング４１を介してセットした状態で受入れ穴５７に上方からボルト５５を挿入し、棚板２９に対して設けられているガイド付きオニメナット３９に螺合させることによって回転テーブル４３は棚板２９上に回転可能な状態で取り付けられる。
【００１９】
開閉扉１７、１９は前面が化粧仕上げされた矩形平板状の部材であり、開閉扉１７、１９の前面におけるスライド丁番２７が取り付けられる側と反対側の側辺寄りの部位には開閉扉１７、１９を開閉する際の手掛かりとなる取っ手５９が設けられている。
上部収納庫３に取り付けられている開閉扉１７の中央には縦長の矩形窓枠６１が形成されており、該矩形窓枠６１には内部を透視できる一例としてアクリル製の窓板６３が嵌め込まれている。
【００２０】
下部収納庫５の左右の側板１１、１３の内壁面には上部に小引出し６５用のスライドレール６７が２組と、下部に比較的大型で高さ寸法の高い被収納物Ａを収納するための大容量ストッカ６９の出し入れを案内する、いわゆるフルオープンタイプの多段レール式のスライドレール６７が１組設けられている。
小引出し６５には高さ寸法の低いインスタントラーメンやカップラーメン等の被収納物Ａを収納し、大容量ストッカ６９には酒の入った一升びん等の被収納物Ａが収納される。
【００２１】
また下部収納庫５の左右の側板１１、１３の一方の内壁面には上部収納庫３と同様、手前側にマグネットキャッチ２５が設けられ、他方の側板１１、１３の内壁面には手前側に開閉扉１７と上記側板１１、１３とを接続するスライド丁番２７の一片が取り付けられている。
開閉扉１７、１９の裏面には、上部収納庫３あるいは下部収納庫５の側板１１、１３に対して設けたマグネットキャッチ２５に吸着する金属プレート７１が設けられている。
この他、図示は省略するが、上部収納庫３と下部収納庫５の前面側の終端には防虫パッキンが貼設されている。
【００２２】
以上、本考案の実施の形態について詳述してきたが、具体的な構成は上述した構成に限られるものではなく、本考案の要旨を逸脱しない範囲内の一部構成の変更などがあっても本考案に含まれる。
例えば本考案の回転テーブル付き収納庫１はキッチン用の収納庫に限らず、一般家庭、学校、病院、オフィス等で使用される種々の被収納物Ａを対象とした各種の収納庫に適用することが可能である。従って被収納物Ａの大きさや種類の違いに対応して収納庫の大きさや形状を改変したり、倒れ防止枠４９と仕切り枠５３の高さ寸法を変更したりすること、あるいは仕切り枠５３の数を増減して区画される載置スペースの数ないし大きさを変更することが可能である。
また、上記実施の形態では５枚の棚板２９の全てに回転テーブル４３を備えたが、本考案はこれに限定されず、回転テーブル４３を備えた棚板２９だけでなく回転テーブル４３を備えない棚板２９も備えた構成としてもよい。更に、棚板２９の枚数も５枚に限定されず５枚より少なくても、また多くてよいのは勿論である。
この他、回転テーブル付き収納庫１は単一の収納庫によって構成することも可能であるし、複数の収納庫を横に並べた横長の回転テーブル付き収納庫１とすることも可能である。
【産業上の利用可能性】
【００２３】
本考案はキッチン用の収納庫の製造、使用分野等において利用でき、特に出し入れが容易で、特に効率良く多数、多種類の被収納物をコンパクトに収納し得るスリムな形状の使い勝手の良い回転テーブル付き収納庫を提供したい場合に利用可能性を有する。
【図面の簡単な説明】
【００２４】
【図１】本考案を実施するための最良の形態に係る回転テーブル付き収納庫を示す一部分解斜視図である。
【図２】本考案を実施するための最良の形態に係る回転テーブル付き収納庫を示す開閉扉を取り外した状態の正面図である。
【図３】本考案を実施するための最良の形態に係る回転テーブル付き収納庫を示す中央縦断側面図である。
【図４】本考案を実施するための最良の形態に係る回転テーブル付き収納庫における棚板と回転テーブルを拡大して示す中央縦断側面図である。
【図５】本考案を実施するための最良の形態に係る回転テーブル付き収納庫における棚板と回転テーブルを拡大して示す平面図である。
【符号の説明】
【００２５】
１  回転テーブル付き収納庫          ３  上部収納庫
５  下部収納庫                      ６  ボルト
７  天板                            ８  オニメナット
９  地板                          １１  側板（左側の）
１３  側板（右側の）                １５  背板
１７  開閉扉（上部収納庫の）        １９  開閉扉（下部収納庫の）
２１  台輪                          ２３  ダボ穴
２５  マグネットキャッチ            ２７  スライド丁番
２９  棚板                          ３１  前端面
３３  係止爪                        ３５  棚保持具
３７  棚受け具                      ３９  ガイド付きオニメナット
４１  ベアリング                    ４３  回転テーブル
４５  載置面                        ４７  周縁
４９  倒れ防止枠                    ５１  載置スペース
５３  仕切り枠                      ５５  ボルト
５７  受入れ穴                      ５９  取っ手
６１  矩形窓枠                      ６３  窓板
６５  小引出し                      ６７  スライドレール
６９  大容量ストッカ                ７１  金属プレート
Ｗ  幅                              Ｄ  奥行き
Ｈ  高さ                            Ａ  被収納物
【図１】
0003117050.tif 000003
【図２】
0003117050.tif 000004
【図３】
0003117050.tif 000005
【図４】
0003117050.tif 000006
【図５】
0003117050.tif 000007